(57)【特許請求の範囲】
【請求項１】
外筒と、該外筒に回転自在に内包される内筒と、該内筒に仕切り板で仕切られて配設されるタンブラーと、前記内筒に配設され前記外筒に係合するように付勢されているロッキングバーとからなるシリンダー錠において、
前記タンブラーの解錠手段の部位が、前記タンブラーの回転中心軸から半径Ｒで形成されロッキングバーと摺接する円弧状外周部に対して、前記解錠手段の中心を通る軸線と直交状態を維持する直線部分又は逆円弧状部分を前記回転中心軸からＬ＜Ｒとなるように半径Ｌにして後退させて、その外周部の形状が形成されていること、
を特徴とするシリンダー錠。
【発明の詳細な説明】
【０００１】
【発明の属する技術分野】
本発明は、例えば、ピッキング等の不正な解錠操作に強い、レバー・ピン等の各種タンブラー方式におけるシリンダー錠に関するものである。
【０００２】
【従来の技術】
従来、例えば、レバータンブラー方式のシリンダー錠の場合には、図３乃至図４に示すように、外筒１０と、これに回転可能に挿入されるもので複数のタンブラー１４及び夫々のタンブラーを区画する仕切り板１１を備えた内筒１２と、該内筒１２の一部に配設され外筒方向へ突出するようバネ１８ａで付勢されたロッキングバー１３とからなるものがある。
【０００３】
前記各タンブラー１４は、弓型形状若しくは三日月型形状に形成され、タンブラー回転軸１５を中心にして回転し、タンブラーバネ１６により、所定方向に回転するように付勢されている。
【０００４】
前記タンブラー軸１５を中心にしてタンブラー１４が時計方向に回転せしめられ、外周部の切欠き凹部１４ａが、ロッキングバー１３の係止部１３ｂの位置に移行する。そして、正常なキーｋをキー孔１１ｂに挿入して回転させると、複数個の全てのタンブラー１４の切欠き凹部１４ａが、前記係止部１３ｂの位置に向き合うことになり、ロッキングバー１３は、その頭部が外筒１０の凹部１０ａから抜け出し、係止部１３ｂが前記切欠き凹部１４ａに後退する。
【０００５】
前記ロッキングバー１３の後退により、内筒１２の回転が可能となって、略９０゜回転させることができる。こうして、シリンダー錠を解錠させることができる。
【０００６】
【発明が解決しようとする課題】
しかしながら、複数個のタンブラー１４の切欠き凹部１４ａを、それぞれロッキングバー１３の係止部１３ｂの位置に合わせなければ、解錠することができず、ピッキングに強いものであるが、それにもかかわらず、内筒を無理に解錠方向に廻しながら、シリンダー錠の手前側若しくは奥側から順に、特殊工具を差し込んで切欠き凹部１４ａが係止部１３ｂに位置的に合ったことを、手の感触で確かめて解錠させてしまうことが、短時間でないにしても行われることがある。そこで、本発明に係るシリンダー錠は、ピッキング対策として、手の感触によっても個々のタンブラーの解錠位置がわかりにくく、解錠するまでに極めて時間のかかる錠となって、結果的に不正解錠を防止するようにすることで、このような課題を解消するものである。
【０００７】
【課題を解決するための手段】
本発明に係るシリンダー錠の上記課題を解決するための要旨は、外筒と、該外筒に回転自在に内包される内筒と、該内筒に仕切り板で仕切られて配設されるタンブラーと、前記内筒に配設され前記外筒に係合するように付勢されているロッキングバーとからなるシリンダー錠において、前記タンブラーの解錠手段の部位が、前記タンブラーの回転中心軸から半径Ｒで形成されロッキングバーと摺接する円弧状外周部に対して、前記解錠手段の中心を通る軸線と直交状態を維持する直線部分又は逆円弧状部分を前記回転中心軸からＬ＜Ｒとなるように半径Ｌにして後退させて、その外周部の形状が形成されていることである。
【００１１】
本発明に係るシリンダー錠によれば、ロッキングバーとタンブラーの外周部とを摺り合わせて解錠位置を探ろうとしても、タンブラーの解錠手段の部位が半径方向に後退して形成されていることにより解錠位置を特定することができず、解錠位置においてロッキングバーと摺接させた状態でタンブラーを保持することもできないので、不正解錠が極めて困難になる。
【００１２】
こうして、タンブラーの解錠手段の部位が半径方向に後退して形成されていることにより、複数個のタンブラーを正常な解錠位置に設定することが容易にはできず、かつ、何度も不正操作を繰り返さなければならないので、短時間での不正解錠が困難となる。
【００１３】
【発明の実施の形態】
次に、本発明に係るシリンダー錠について図面を参照して説明する。なお、発明の理解の容易のため従来例に対応する部分には従来例と同一符号を付けて説明する。
【００１４】
本発明のシリンダー錠に係る第１実施例は、１枚若しくは複数枚のタンブラーと、該タンブラーの解錠手段に係合するロッキングバーとの解錠位置を、ダミーの偽装手段によって、正規の位置でない位置において解錠位置になったという感触を手に与えるようにすることである。よって、シリンダー錠において、レバー方式でもピン方式のタンブラーでもよく、特に、施錠・解錠構造を限定するものではない。
【００１５】
そこで、例えば、レバータンブラー方式のシリンダー錠を第１実施例として説明すると、図１に示すように、タンブラー１の解錠手段である切欠き凹部１ａの近傍には、ダミー用の偽装手段である凹部１ｂ，１ｃが設けられている。
【００１６】
当該、偽装手段は、前記切欠き凹部１ａの両側、若しくは、いずれか一方の片側に、適宜に設けられるものである。また、該凹部１ｂ，１ｃの形状は、前記切欠き凹部１ａの開口部形状と同じ開口部形状にして、その切欠き深さだけを違えてあるものである。これにより、偽装手段においても、解錠手段と同じ様な解錠時の感触が得られるものである。
【００１７】
シリンダー錠における複数枚のタンブラーの配設方法は、前記偽装手段を両側に設けたものと、いずれか一方の片側に設けたものとを、任意に並びを変えて色々組み合わせて配設するものである。
【００１８】
前記偽装手段である凹部１ｂ，１ｃを設けたのは、ピッキング対策として有効に作用するからである。即ち、シリンダー錠を不正解錠しようとする者は、図３を参照すると、キー孔１１ｂから特殊工具等を差し込んで、内筒１２を解錠方向に強制的に可能な限り回転させながら、解錠方向へ回転させる。
【００１９】
すると、前記内筒１２の回転作用により、ロッキングバー１３が、凹部１０ａから頭部１３ａの抜け出しにより、内筒中心部方向へ押しつけられ、その底面１３ｃが、前記タンブラー１の外周端面１ｇに摺接する。
【００２０】
そこで、徐々にタンブラー１を解錠方向に回転させ、前記ロッキングバー１３の底面１３ｃが外周端面１ｇに摺接している様子を、手の感触により把握しながら手探りする。やがて、凹部１ｂに至ると、底面１３ｃの摺接状態が失われて抵抗感が消えるので、手の感触でそれが把握される。
【００２１】
かかる状態において、前記偽装手段の凹部１ｂが、あたかも解錠手段の切欠き凹部１ａであると、不正な解錠操作者に錯覚させる。このような、不正操作を繰り返して、複数枚の全タンブラーに対して行っても、ダミーの凹部１ｂが、ロッキングバー１３の係止部１３ｂに向き合っているだけである。よって、内筒１２を解錠方向に回転させようとしても、ロッキングバー１３が十分に後退しないで外筒１０に係合したままなので、当該内筒１２を回転させることができない。よって、シリンダー錠を解錠することができない。
【００２２】
前記切欠き凹部１ａの近傍において、その両側に前記偽装手段（凹部１ｂ，１ｃ）を設けておけば、底面１３ｃを、前後（左右）方向のいずれの方向から移動させてきても、不正解錠を防止できることになる。例えば、特殊工具でタンブラー１を、一旦、最も上まで持ち上げて、そこから次第に下げながら、手探りする場合もあるからである。
【００２３】
前記ダミー用の偽装手段（凹部１ｂ，１ｃ）は、解錠手段の切欠き凹部１ａである場合とほぼ同じ解錠の感触を与える形状に形成されているので、不正な解錠をする者にとって、偽装手段と解錠手段との区別がつきにくくなって、不正な操作に時間が掛かり、結局、解錠操作を諦めざるを得なくなるものである。
【００２４】
なお、前記偽装手段を、解錠手段１ａの片側において１カ所に限らず複数箇所に設けるようにしてもよい。こうすれば、更に、解錠手段１ａの位置を手探りしずらいものとなる。
【００２５】
本発明の第２実施例は、図２に示すように、タンブラー２の解錠手段２ａの部位に、前記ロッキングバー１３との摺接状態を認識させない感触消失手段である直線部分（若しくは平坦部分）２ｂが設けられたシリンダー錠の例である。
【００２６】
前記タンブラー２の直線部分２ｂは、このタンブラー２の回転中心軸２ｃから半径Ｒで形成された円弧状外周部２ｄに対して、例えば、前記回転中心軸２ｃと切欠き凹部２ａの中心を通る軸線３と直交状態を維持する直線を前記回転中心軸２ｃ側（内側）に後退させて（Ｌ＜Ｒ）、形成したものである。
【００２７】
この第２実施例によれば、このシリンダー錠を不正解錠しようとした際には、内筒１２を解錠方向に強制的に可能な限り回し、ロッキングバー１３を外筒１０から内筒１２の中心部方向へ後退させつつ、そのロッキングバー１３の底面１３ｃを、ある一つのタンブラー２を特殊工具で動かして、その円弧状外周部２ｄに摺接させながら、解錠位置を手探りする。
【００２８】
しかし、前記タンブラー２の外周端面が、前記円弧状外周部２ｄと直線部分２ｂとを有してなるので、ロッキングバー１３との摺接位置が円弧状外周部２ｄから後退した直線部分２ｂに至ると、前記底面１３ｃとの摺接している感触が消失してしまう。
【００２９】
かかる状態において、ロッキングバー１３は、複数個の他のタンブラー２の円弧状外周部２ｄと当接していて、それ以上に内筒中心部へ向かって後退させることができない。よって、前記一つのタンブラー２の直線部分２ｂにおいて、ロッキングバー１３と摺接しない宙ぶらり状態となって、ロッキングバー１３に対して切欠き凹部２ａを解錠位置に位置決めできず、且つ、解錠位置でタンブラー２を保持することができないのである。
【００３０】
このように、ロッキングバー１３とタンブラー１の外周部とにおける摺接状態を手探りすることで、不正解錠しようとしても、タンブラーの解錠手段の部位の外周部が半径方向に後退したこと、若しくは、摺接状態の感触を消失させる感触消失手段があることにより、不正解錠を防止するものである。なお、この第２実施例では、直線部分２ｂとしたが、これに限らず、逆円弧状部分であっても良く、要は、摺接している状態の感触が得られなくすれば良いのである。
【００３３】
【発明の効果】
以上説明したように、本発明のシリンダー錠は、外筒と、該外筒に回転自在に内包される内筒と、該内筒に仕切り板で仕切られて配設されるタンブラーと、前記内筒に配設され前記外筒に係合するように付勢されているロッキングバーとからなるシリンダー錠において、前記タンブラーの解錠手段の部位が、前記タンブラーの回転中心軸から半径Ｒで形成されロッキングバーと摺接する円弧状外周部に対して、前記解錠手段の中心を通る軸線と直交状態を維持する直線部分又は逆円弧状部分を前記回転中心軸からＬ＜Ｒとなるように半径Ｌにして後退させて、その外周部の形状が形成されているので、解錠位置を手探りすることがほとんど不可能となって、不正解錠が防止されると言う優れた効果を奏するものである。
【図面の簡単な説明】
【図１】本発明の第１実施例に係るシリンダー錠におけるタンブラーの正面図である。
【図２】同本発明の第２実施例に係るシリンダー錠におけるタンブラーの正面図である。
【図３】従来例に係るシリンダー錠の正面図（Ａ）と断面図（Ｂ）である。
【図４】同従来例に係るシリンダー錠において、正常なキーｋをキー孔に差し込んだ状態の正面図（Ａ）と断面図（Ｂ）である。
【符号の説明】
１  タンブラー、                  １ａ  解錠手段の切欠き凹部、
１ｂ，１ｃ  偽装手段の凹部、      ２  タンブラー、
２ａ  解錠手段、                  ２ｂ  直線部分、
２ｃ  回転中心軸、                ２ｄ  円弧状外周部、
１０  外筒、                      １１  仕切り板、
１１ｂ  キー孔、                  １２  内筒、
１３  ロッキングバー、            １３ａ  頭部、
１３ｂ  係止部、                  １３ｃ  底面、
１４  タンブラー、                １４ａ  切欠き凹部、
１５  タンブラー軸。
【図１】
0003729752.tif 000002
【図２】
0003729752.tif 000003
【図３】
0003729752.tif 000004
【図４】
0003729752.tif 000005